(57)【要約】【解決手段】内視鏡検査の間に患者（２２）が身に着けるためのガーメント（２０）は、患者の骨盤領域の回りにピッタリと適合するように切り抜かれ、サイズが定められ、ガーメント（２０）が患者（２２）により身に着けられたとき、ファブリックは、２つの脚用孔と、アパーチャ（２８）と、を形成し、該アパーチャは、該アパーチャ（２８）を通して身体穴内に内視鏡（４０）を挿入することを可能にするように患者（２２）の身体穴に隣接して配置されている。
2006527058.tif 000002
【特許請求の範囲】
【請求項１】
内視鏡システムであって、
患者の身体穴内に挿入されるように構成された内視鏡と、
前記ガーメントが前記患者によって身に着けられている間に該患者の身体穴内への前記内視鏡の挿入を可能とするようにサイズが定められ、位置が定められたアパーチャを有する、内視鏡挿入準備完了ガーメントと、
を備える、内視鏡システム。
【請求項２】
前記ガーメントは、
前記脚部の間に適合するように切り抜かれ、中央部分により連結された、前部及び後部を有する材料シートと、
前記骨盤領域を覆うように前記前部及び前記後部を一緒に固定するように構成された、１つ以上のファスナーと、
を備える、請求項１に記載のシステム。
【請求項３】
前記内視鏡が前記身体穴を通して挿入されるとき適所に該内視鏡を保持するように前記アパーチャ内に固定された、内視鏡保持装置を備える、請求項１に記載のシステム。
【請求項４】
前記内視鏡保持装置は、貫通するボアを有する剛性材料を備え、該ボアは、前記内視鏡の回りにピッタリと適合するようにサイズが定められ、前記ガーメントは、前記第３の孔内で前記剛性材料を固定するための締め付け部品を備える、請求項３に記載のシステム。
【請求項５】
前記内視鏡は、前記患者の肛門内に挿入されるように構成され、前記ガーメントのアパーチャは、前記内視鏡を前記肛門内に挿入することを可能にするようにサイズが定められ、位置が定められている、請求項１に記載のシステム。
【請求項６】
内視鏡システムであって、
内視鏡適合式ガーメントであって、該ガーメントが患者によって身に着けられている間に該患者の身体穴内に内視鏡を通して挿入することを可能にするようにサイズが定められ、位置が定められたアパーチャを有する、前記内視鏡適合式ガーメントと、
前記ガーメント内で前記身体穴を通して延在する内視鏡と、
を備える、内視鏡システム。
【請求項７】
前記ガーメント内の前記アパーチャは、前記患者の肛門内に前記内視鏡を挿入することを可能にするようにサイズが定められ、位置が定められており、前記内視鏡は、前記肛門を通って延在する、請求項６に記載のシステム。
【請求項８】
内視鏡検査の間に患者が身に着けるためのガーメントであって、
前記患者の骨盤領域の回りにピッタリと適合するように切り抜かれ、サイズが定められたファブリックを備え、前記ガーメントが前記患者によって身に着けられたとき、前記ファブリックは、２つの脚用孔と、アパーチャと、を形成し、該アパーチャは、該アパーチャを通して身体穴内に内視鏡を挿入することを可能にするように前記患者の該身体穴に隣接して配置されている、ガーメント。
【請求項９】
前記ファブリックは、前記患者の脚の間に適合するように切り抜かれ、中央部分により連結された、前部及び後部を有する材料シートを備え、前記ガーメントは、前記骨盤領域を覆うように前部及び後部を一緒に固定するように構成された１つ以上のファスナーを更に備える、請求項８に記載のガーメント。
【請求項１０】
前記ガーメント内の前記アパーチャは、前記患者の肛門内への内視鏡の挿入を可能にするようにサイズが定められ、位置が定められている、請求項８に記載のガーメント。
【請求項１１】
内視鏡用の装置であって、
内視鏡適合式ガーメントであって、該ガーメントが患者によって見に着けられている間に該患者の身体穴内への内視鏡の挿入を可能とするようにサイズが定められ、位置が定められたアパーチャを有する、前記内視鏡適合式ガーメントと、
前記内視鏡が前記身体穴内に挿入されているとき該内視鏡を適所に保持するように前記アパーチャ内に固定されている、内視鏡保持装置と、
を備える、装置。  
【請求項１２】
前記内視鏡保持装置は、前記内視鏡の回りにピッタリと適合するようにサイズが定められているボアが貫通されている剛性材料を備え、前記ガーメントは、前記アパーチャ内に前記保持装置を固定するための締め付け部品を備える、請求項１１に記載の装置。
【請求項１３】
前記ガーメント内の前記アパーチャは、前記患者の肛門内に前記内視鏡を挿入することを可能にするようにサイズが定められ、位置が定められている、請求項１１に記載の装置。
【請求項１４】
患者の内視鏡検査のための方法であって、
前記患者の骨盤領域の回りにガーメントを装着する工程であって、前記ガーメントは、該ガーメントが前記患者によって身に着けられている間に該患者の身体穴内に内視鏡を挿入することを可能とするようにサイズが定められ、位置が定められているアパーチャを有する、前記工程と、
前記アパーチャを通して前記身体穴内に内視鏡を挿入する工程と、
を備える、方法。
【請求項１５】
前記ガーメントは、前記患者の前記脚部の間に適合するように切り抜かれ、中央部分により連結された、前部及び後部を有する材料シートから構成され、
前記ガーメントを装着する工程は、前記脚部の間に前記中央部分を配置し、前記骨盤領域を覆うように前記前部及び前記後部を一緒に固定する、各工程を備える、請求項１４に記載の方法。
【請求項１６】
前記アパーチャ内に保持装置を固定する工程を更に備え、
前記内視鏡を挿入する工程は、該内視鏡が前記身体穴内に挿入されたとき前記保持装置が該内視鏡を適所に保持するように該保持装置を通して該内視鏡を挿入する工程を備える、請求項１４に記載の方法。
【請求項１７】
前記保持装置は、前記内視鏡の回りをピッタリと適合するようにサイズが定められたボアを貫通させた剛性材料を備え、前記保持装置を固定する工程は、前記保持装置を前記ガーメントに固定する工程を備える、請求項１６に記載の方法。
【請求項１８】
前記ガーメント内の前記アパーチャは、前記内視鏡を前記患者の肛門内に挿入することを可能にするようにサイズが定められ、位置が定められており、前記内視鏡を挿入する工程は、該内視鏡を前記アパーチャを通して前記肛門内に挿入する工程を備える、請求項１４に記載の方法。
【発明の詳細な説明】
【技術分野】
【０００１】
本発明は、概して医療処置で使用するためのガーメントに係り、詳しくは内視鏡検査の間に患者が身に着けるガーメントに関する。
【背景技術】
【０００２】
直腸及び／又は結腸の内視鏡検査を受ける患者は、一般に、彼又は彼女の身体の下側部分が裸にされ又はせいぜい隙間の多い掛け布で部分的に覆われた状態で検査テーブル上に横たわらなければならない。言うまでもなく、この状況は、患者にとって不快であり、気恥ずかしい思いをさせる。更には、一般的に、検査中に患者の肛門を通して流体が漏れ出て、患者の身体や検査テーブルを湿らすおそれがある。
【発明の開示】
【課題を解決するための手段】
【０００３】
本発明の実施例は、内視鏡検査を受ける患者が身に着けるための新規なガーメントを提供する。ガーメントは、典型的には、短パン又はダイヤパーの態様で患者の骨盤領域に亘って適合するように形成された、吸収性ファブリックから作られている。アパーチャは、例えば肛門、膣又は尿道等の身体穴の領域でガーメントを通して切除されたものである。該身体穴を通して、内視鏡は、患者の身体内に挿入されるべきである。アパーチャは、患者がガーメントを身に着けている間に、該アパーチャを通して内視鏡を挿入するため身体穴へのアクセスを可能にする。かくして、検査中に患者の節度及び快適さが保護される。身体穴から漏れ出る流体は、典型的には、ガーメントによって吸収される。
【０００４】
本発明の幾つかの実施例では、内視鏡のリテイナーは、アパーチャの領域でガーメントに固定されている。医者は、内視鏡を、リテイナーを通して患者の身体穴内へと挿入する。医者が内視鏡を身体内に押し進めるとき、リテイナーは内視鏡を適所に保持する。かくして、医者は、他の作業を実行するため、その間に内視鏡を保持するためアシスタントを必要とすること無しに、必要時に内視鏡から両方の手を取り外すことができる。
【０００５】
従って、本発明の実施例によれば、内視鏡システムは、患者の身体穴内に挿入されるように構成された内視鏡と、患者によってガーメントが身に着けられている間に該患者の身体穴内への内視鏡の挿入を可能とするようにサイズが定められ、位置が定められたアパーチャを有する、内視鏡挿入準備完了ガーメントと、を備える。
【０００６】
開示された実施例では、ガーメントは、脚部の間に適合するように切り抜かれ、中央部分により連結された、前部及び後部を有する材料シートと、骨盤領域を覆うように前部及び後部を一緒に固定するように構成された、１つ以上のファスナーと、を備える。
【０００７】
本発明の一態様では、本システムは、内視鏡が身体穴を通して挿入されるとき適所に該内視鏡を保持するようにアパーチャ内に固定された、内視鏡保持装置を備える。典型的には、内視鏡保持装置は、貫通するボアを有する剛性材料を備え、該ボアは、内視鏡の回りにピッタリと適合するようにサイズが定められ、ガーメントは、第３の孔内で剛性材料を固定するための締め付け部品を備える。
【０００８】
開示された実施例では、内視鏡は、患者の肛門内に挿入されるように構成され、ガーメントのアパーチャは、内視鏡を肛門内に挿入することを可能にするようにサイズが定められ、位置が定められている。
【０００９】
本発明の一実施例によれば、内視鏡システムが提供される。該内視鏡システムは、患者によってガーメントが身に着けられている間に該患者の身体穴内に内視鏡を通して挿入することを可能にするようにサイズが定められ、位置が定められたアパーチャを有する内視鏡適合式ガーメントと、ガーメント内の身体穴を通して延在する内視鏡と、を備える。
【００１０】
更に加えて、本発明の一実施例によれば、内視鏡検査の間に患者が身に着けるためのガーメントが提供される。該ガーメントは、患者の骨盤領域の回りにピッタリと適合するように切り抜かれ、サイズが定められたファブリックを備え、患者によってガーメントが身に着けられたとき、ファブリックは、２つの脚用孔と、アパーチャと、を形成し、該アパーチャは、該アパーチャを通して身体穴内に内視鏡を挿入することを可能にするように患者の該身体穴に隣接して配置されている。
【００１１】
更に加えて、本発明の一実施例によれば、内視鏡用の装置が提供される。該装置は、内視鏡適合式ガーメントであって、患者によってガーメントが身に着けられている間に該患者の身体穴内への内視鏡の挿入を可能とするようにサイズが定められ、位置が定められたアパーチャを有する、前記内視鏡適合式ガーメントと、内視鏡が身体穴内に挿入されているとき該内視鏡を適所に保持するようにアパーチャ内に固定されている、内視鏡保持装置と、を備える。  
【００１２】
更に加えて、本発明の一実施例によれば、患者の内視鏡検査のための方法が提供される。本方法は、患者の骨盤領域の回りにガーメントを装着する工程であって、ガーメントは、患者によってガーメントが身に着けられている間に該患者の身体穴内に内視鏡を挿入することを可能とするようにサイズが定められ、位置が定められているアパーチャを有する、前記工程と、該アパーチャを通して身体穴内に内視鏡を挿入する工程と、を備える。
【００１３】
本発明の実施例の次の詳細な説明から添付図面を参照して本発明がより完全に理解されよう。
【実施例】
【００１４】
図１Ａ、図１Ｂ及び図２を参照すると、本発明の一実施例に係る、内視鏡検査の間に患者２２が身に着けるガーメント２０が概略的に示されている。図１Ａ及び図１Ｂは、各々、前面図及び後面図である。図２は、ガーメント２０を製造する際に使用されるファブリックパターン２４の概略的な頂面図である。該パターンは、ダイヤパーの一般的な形態を有し、該ファブリックの中央部分の両側に設けられた脚部開口部２６と、（従来のダイヤパーとは異なり）肛門アパーチャ２８と、を備えている。ガーメント２０を製造するため使用されるファブリックは、典型的には、吸収性の布若しくはペーパーを備え、内視鏡検査の間に患者の肛門から漏れ出る流体を吸収するため、並びに、該流体が検査テーブル、患者の皮膚若しくは布の他の領域を湿らせることを防止するため、外側水耐性コーティングを備えていてもよい。ファスナー３０、典型的には、ベルクロ（Ｒ）又は接着性ファスナーが、患者の骨盤領域の回りに、一緒になって、ガーメント２０の前部及び後部を固定するため使用される。ストラップ３２は、ピッタリ嵌合させるようにガーメントを調整するため使用することができる。
【００１５】
代替例として、ガーメント２０は、ダイヤパーというよりも短パンツの形態を取り得る。該短パンツは、患者のウェスト及び大腿部の回りにパンツを保持するため弾性を有する。
【００１６】
図１Ｂに示されるように、内視鏡検査の間、医師は、結腸鏡等の内視鏡４０をアパーチャ２８を通して患者２２の肛門内に挿入する。オプションで、内視鏡は、肛門に隣接して適所に保持された内視鏡リテイナー４２を通して挿入される。図示の実施例では、リテイナー４２は、ガーメント２０の一部としてこの目的のために提供された、例えば組み合わせストラップ４４等の締め付け部品によって保持される。代替例として、リテイナー４２は、当該技術分野で知られている他の任意の適切な手段によりガーメント２０に縫い付けられ、接着され、クリップで留められ、又は、縛り付けられる。更なる代替例では、例えばリテイナー４２等の追加の保持要素を使用すること無く、アパーチャ２８を、それ自体が内視鏡保持装置としての機能を果たすのに十分に小さく且つ剛性に作ることができる。
【００１７】
リテイナー４２は、典型的には、好ましくは内視鏡４０の回りにピッタリと適合するようにサイズが定められた中央ボア４６を備えた、剛性プラスチック材料を含んでいる。この適合は、医師が、実質的な抵抗を受けること無く、ボア４６を通して内視鏡４０を挿入したり引き抜いたりすることができるように十分に緩くなっている。しかし、医師が内視鏡４０上で彼の握力を解放するとき、内視鏡が適所に留まり、外側に摺動し始めないほど十分に硬くなっている。かくして、リテイナー４２は、医師が生体組織検査等の他の作業を実行している間に、看護婦又は他のアシスタントが内視鏡を握る必要性を回避する。
【００１８】
内視鏡検査が完了した後、典型的には、ガーメント２０及びリテイナー４２は、除去され、廃棄される。
【００１９】
上述した実施例は直腸領域及び結腸の内視鏡検査に詳細に関わっているが、ガーメント２０は、同様に膣及び尿道等他の身体通路を通ってなされる内視鏡検査で使用するのに適している。かくして、上記実施例は例を用いて引用され、本発明は特定のものとして示されており、よって、本発明は上述されたものに限定されないということが認められよう。本発明の範囲は、前記した説明を読むとき、当業者に想到され、従来技術で開示されていない、上述した様々な特徴の組み合わせ及び部分的組み合わせの両方、並びに、変更及び変形態様を含んでいる。
【図面の簡単な説明】
【００２０】
【図１Ａ】図１Ａは、本発明の一実施例に係る、内視鏡検査の間に患者が身に着けるガーメントの、概略的な前面図である。
【図１Ｂ】図１Ｂは、本発明の一実施例に係る、内視鏡検査の間に患者が身に着けるガーメントの、概略的な後面図である。
【図２】図２は、図１Ａ及び図１Ｂのガーメントを製造するのに使用されるファブリックパターンの概略的な頂面図である。
2006527058.tif 000003
2006527058.tif 000004
【図２】
2006527058.tif 000005
【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
内視鏡システムであって、
患者の身体穴内に挿入されるように構成された内視鏡と、
前記ガーメントが前記患者によって身に着けられている間に該患者の身体穴内への前記内視鏡の挿入を可能とするように、サイズが定められ、位置が定められたアパーチャを有する、内視鏡挿入準備完了ガーメントと、
前記内視鏡が前記身体穴を通して挿入されるとき適所に該内視鏡を保持するように前記アパーチャ内に固定された、保持装置と、
を備える、内視鏡システム。
【請求項２】
前記ガーメントは、
前記脚部の間に適合するように切り抜かれ、中央部分により連結された、前部及び後部を有する材料シートと、
前記骨盤領域を覆うように前記前部及び前記後部を一緒に固定するように構成された、１つ以上のファスナーと、
を備える、請求項１に記載のシステム。
【請求項３】
前記内視鏡保持装置は、貫通するボアを有する剛性材料を備え、該ボアは、前記内視鏡の回りにピッタリと適合するようにサイズが定められ、前記ガーメントは、前記第３の孔内で前記剛性材料を固定するための締め付け部品を備える、請求項１に記載のシステム。
【請求項４】
前記内視鏡は、前記患者の肛門内に挿入されるように構成され、前記ガーメントのアパーチャは、前記内視鏡を前記肛門内に挿入することを可能にするようにサイズが定められ、位置が定められている、請求項１に記載のシステム。
【請求項５】
内視鏡システムであって、
内視鏡適合式ガーメントであって、該ガーメントが患者によって身に着けられている間に該患者の身体穴内に内視鏡を通して挿入することを可能にするようにサイズが定められ、位置が定められたアパーチャを有する、前記内視鏡適合式ガーメントと、
前記ガーメント内で前記身体穴を通して延在する内視鏡と、
前記内視鏡が前記身体穴内に挿入されているとき該内視鏡を適所に保持するように前記アパーチャ内に固定されている、保持装置と、
を備える、内視鏡システム。
【請求項６】
前記ガーメント内の前記アパーチャは、前記患者の肛門内に前記内視鏡を挿入することを可能にするようにサイズが定められ、位置が定められており、前記内視鏡は、前記肛門を通って延在する、請求項５に記載のシステム。
【請求項７】
内視鏡検査の間に患者が身に着けるためのガーメントであって、
前記患者の骨盤領域の回りにピッタリと適合するように切り抜かれ、サイズが定められたファブリックであって、前記ガーメントが前記患者によって身に着けられたとき、前記ファブリックは、２つの脚用孔と、アパーチャと、を形成し、該アパーチャは、該アパーチャを通して身体穴内に内視鏡を挿入することを可能にするように前記患者の該身体穴に隣接して配置されている、前記ファブリックと、
前記内視鏡が前記身体穴内に挿入されているとき該内視鏡を適所に保持するように前記アパーチャ内に固定されている、保持装置と、
を備える、ガーメント。
【請求項８】
前記ファブリックは、前記患者の脚の間に適合するように切り抜かれ、中央部分により連結された、前部及び後部を有する材料シートを備え、前記ガーメントは、前記骨盤領域を覆うように前部及び後部を一緒に固定するように構成された１つ以上のファスナーを更に備える、請求項８に記載のガーメント。
【請求項９】
前記ガーメント内の前記アパーチャは、前記患者の肛門内への内視鏡の挿入を可能にするようにサイズが定められ、位置が定められている、請求項８に記載のガーメント。
【請求項１０】
内視鏡用の装置であって、
内視鏡適合式ガーメントであって、該ガーメントが患者によって身に着けられている間に該患者の身体穴内への内視鏡の挿入を可能とするようにサイズが定められ、位置が定められたアパーチャを有する、前記内視鏡適合式ガーメントと、
前記内視鏡が前記身体穴内に挿入されているとき該内視鏡を適所に保持するように前記アパーチャ内に固定されている、内視鏡保持装置と、
を備える、装置。  
【請求項１１】
前記内視鏡保持装置は、前記内視鏡の回りにピッタリと適合するようにサイズが定められているボアが貫通されている剛性材料を備え、前記ガーメントは、前記アパーチャ内に前記保持装置を固定するための締め付け部品を備える、請求項１０に記載の装置。
【請求項１２】
前記ガーメント内の前記アパーチャは、前記患者の肛門内に前記内視鏡を挿入することを可能にするようにサイズが定められ、位置が定められている、請求項１１に記載の装置。
【請求項１３】
患者の内視鏡検査のための方法であって、
前記患者の骨盤領域の回りにガーメントを装着する工程であって、前記ガーメントは、該ガーメントが前記患者によって身に着けられている間に該患者の身体穴内に内視鏡を挿入することを可能とするようにサイズが定められ、位置が定められているアパーチャを有する、前記工程と、
前記アパーチャ内に保持装置を固定する工程と、
前記アパーチャを通して前記身体穴内に内視鏡を挿入する工程と、
を備える、方法。
【請求項１４】
前記ガーメントは、前記患者の前記脚部の間に適合するように切り抜かれ、中央部分により連結された、前部及び後部を有する材料シートから構成され、
前記ガーメントを装着する工程は、前記脚部の間に前記中央部分を配置し、前記骨盤領域を覆うように前記前部及び前記後部を一緒に固定する、各工程を備える、請求項１３に記載の方法。
【請求項１５】
前記内視鏡を挿入する工程は、該内視鏡が前記身体穴内に挿入されたとき前記保持装置が該内視鏡を適所に保持するように該保持装置を通して該内視鏡を挿入する工程を備える、請求項１３に記載の方法。
【請求項１６】
前記保持装置は、前記内視鏡の回りをピッタリと適合するようにサイズが定められたボアを貫通させた剛性材料を備え、前記保持装置を固定する工程は、前記保持装置を前記ガーメントに固定する工程を備える、請求項１５に記載の方法。
【請求項１７】
前記ガーメント内の前記アパーチャは、前記内視鏡を前記患者の肛門内に挿入することを可能にするようにサイズが定められ、位置が定められており、前記内視鏡を挿入する工程は、該内視鏡を前記アパーチャを通して前記肛門内に挿入する工程を備える、請求項１３に記載の方法。
【国際調査報告】
2006527058.tif 000006
2006527058.tif 000007